(57)【特許請求の範囲】
【請求項１】
互いに対向する布基礎と、この布基礎の間に配置された束梁と、この束梁の上に立設された複数の床束と、これらの床束に架け渡された大引とを備え、
前記束梁は、前記布基礎と交差する方向に配置され、かつ、その端部は前記布基礎に結合されるとともに、端面に上下方向に伸びる溝部が設けられ、
前記布基礎の前記束梁との結合部分には、前記束梁の端部を挿嵌可能な凹部が設けられ、
前記溝部および前記凹部にて囲まれる空間に前記束梁および前記布基礎を連結固定するモルタルが設けられる
ことを特徴とした建物の基礎構造。
【請求項２】
請求項１に記載した建物の基礎構造において、前記束梁の下面側には、この束梁の高さレベルを調整するための高さ調整手段が設けられていることを特徴とする建物の基礎構造。
【請求項３】
請求項１または請求項２に記載した建物の基礎構造において、前記束梁の上端面には長手方向と直交するへこみ部が設けられていることを特徴とする建物の基礎構造。
【発明の詳細な説明】
【０００１】
【発明の属する技術分野】
本発明は、建物の基礎構造に関し、詳しくは、床束を介して床部を支持する構造を備えた建物の基礎構造に関する。
【０００２】
【背景技術】
従来より、住宅等の建物の基礎は、建物本体の外周や壁に沿って形成された布基礎により構成されている。布基礎の間には、通常、複数の束石が配置されている。束石の上にはそれぞれ床束が立設され、これらの床束間に架け渡された大引で建物本体の一階床部を支持するようにしている。
束石は倒れないように自立させる必要があるため、設置の際には、個々の束石について位置決めを行ってから、これらの位置決めした箇所について、それぞれ根切り作業を行い、その根切り底に栗石を敷き詰めて突き固め、突き固めた地盤上に束石を配置して下端部を埋め戻すようにしていた。
【０００３】
【発明が解決しようとする課題】
しかし、この方法では、大引を水平に設置するためには、複数の束石をその上端面が同高さレベルになるようにかつ直線状に並ぶように位置決めしなければならないので、束石の施工が困難なうえに手間がかかっていた。
さらに、束石を自立させるために、各々の設置場所について地固めを行わなければならないので煩雑であった。
【０００４】
本発明の目的は、迅速かつ容易に施工できる建物の基礎構造を提供することにある。
【０００５】
【課題を解決するための手段】
本発明の建物の基礎構造は、図面を参照して説明すると、互いに対向する布基礎４と、この布基礎の間に配置された束梁５と、この束梁の上に立設された複数の床束３１と、これらの床束に架け渡された大引３５とを備え、前記束梁は、前記布基礎と交差する方向に配置され、かつ、その端部は前記布基礎に結合されるとともに、端面に上下方向に伸びる溝部が設けられ、前記布基礎の前記束梁との結合部分には、前記束梁の端部を挿嵌可能な凹部が設けられ、前記溝部および前記凹部にて囲まれる空間に前記束梁および前記布基礎を連結固定するモルタルが設けられることを特徴とする。
【０００６】
本発明では、床束は束梁の上に複数立設されるので、複数の床束に対して一つの束梁を設置するだけでよくなり、従来の束石を並設する手間、つまり複数の束石を同高さレベルで直線的に並設する手間を省略できるから、迅速かつ容易に施工できる。
さらに、束梁の端部は布基礎に結合されているため、束梁を所望の状態で布基礎に保持させることが可能となり、自立させる必要がなくなるから、束梁を設置する場所における突き固め等の土工事や埋め戻し作業を簡略化できるので、迅速かつ容易に施工できる。
【０００７】
前述した布基礎の束梁との結合部分には、上記したように、束梁の端部と係合可能な係合部（２４，２５）が設けられていることを特徴とする。
【０００８】
このようにすると、束梁の端部を布基礎の係合部に係合させるだけで、束梁を位置決めできるから、束梁を迅速かつ容易に設置できる。
また、束梁の端部を布基礎に突き当てるだけよりも優れた接合強度を確保できる。
【０００９】
また、係合部は、上記したように、束梁の端部を挿嵌可能な凹部２４，２５であることを特徴とする。
【００１０】
このようにすれば、束梁の端部には、布基礎に係合させるための特別な構造を設ける必要がなくなるから、結合構造を簡略化できるうえに、束梁の構造を単純化できるので容易に製造できる。
【００１１】
さらに、束梁の下面側には、この束梁の高さレベルを調整するための高さ調整手段（５３）が設けられていることが望ましい。
このようにすると、高さ調整手段により束梁の高さレベルを簡単に調節できるので、束梁を設置する場所が土工事により均一にされていなくても、束梁を簡単かつ確実に水平設置できる。
【００１２】
そして、束梁の上端面には長手方向と直交するへこみ部５１が設けられていることが望ましい。
このようにすれば、へこみ部と大引との間に隙間が形成されるようになり、この隙間を介して束梁の両側の空間が連通されるから、布基礎の間の通気を十分に確保できる。また、点検等のために布基礎の間に作業員が侵入した場合も、この隙間を介して布基礎の間を自由に通行できるから、迅速かつ容易に作業できる。
【００１３】
【発明の実施の形態】
以下、本発明の一実施形態を図面に基づいて説明する。
図１には、本実施形態の建物１の基礎構造が示されている。この建物１は、パネル工法により建てられた工業化住宅であり、構造体としての壁パネル１１、床パネル１２、天井パネルおよび屋根パネル（図示省略）等を組み立てて構築された建物本体２と、この建物本体２を受ける基礎３とを備えている。
基礎３は、壁パネル１１により構成される壁体１３に沿って打設された布基礎４と、互いに対向する布基礎４の間に配置された束梁５とを備えている。
【００１４】
布基礎４は、下部となるフーチング部２１およびこのフーチング部２１から立ち上がる立上部２２を有し、立上部２２には適宜換気孔２３が形成されている。束梁５は、プレキャストコンクリート製の略直方体形状のブロックであり、その上端面には長手方向と直交するへこみ部５１が所定間隔で設けられている。この束梁５は、互いに対向する布基礎４と交差する方向に配置され、その両端部はそれぞれ布基礎４のフーチング部２１に結合されており、一階床部１４を支持するように設置されている。
【００１５】
束梁５Ａの上には、図２に示すように、複数の床束３１が立設されている。床束３１は、上下に直列に設けられた右ねじおよび左ねじの一対のねじ軸（図示省略）と、これらのねじ軸を連結するターンバックル３２とを備え、このターンバックル３２を回転させることにより床束３１を伸縮できるようになっている。下側のねじ軸の下端はベースプレート３３に固定され、このベースプレート３３は、束梁５Ａに埋設されたＪ字状のアンカーボルト３４により束梁５Ａの上端面に固着されている。
【００１６】
これらの床束３１の上端間には、束梁５Ａの長手方向に沿って大引３５が架け渡されている。大引３５は、長尺の角材等からなり、床束３１の上側のねじ軸（図示省略）の上端に固定されたブラケット３６を介して床束３１に接合されている。
このような大引３５とへこみ部５１との間には、作業者が通れる程度の隙間３７が形成され、この隙間３７を介して束梁５Ａの両側の空間が連通されている。大引３５の上には一階床部１４を構成する床パネル１２が設置されている。なお、本実施形態の床パネル１２および壁パネル１１は、矩形枠状に組んだ芯材１５の表面に面材１６を張ることにより形成されている。
【００１７】
束梁５Ａの両端部は、それぞれ布基礎４のフーチング部２１に結合されている。フーチング部２１の束梁５Ａとの結合部分には、図３にも示すように、束梁５Ａの端部と係合可能な係合部としての凹部２４が設けられ、この凹部２４に束梁５Ａの端部が挿嵌されている。束梁５Ａの両端面には上下方向に延びる溝部５２が設けられ、この溝部５２と凹部２４に囲まれた空間にモルタル（図示省略）を注入することにより束梁５Ａの端部がフーチング部２１に連結固定されている。
【００１８】
図２に戻って、束梁５Ａの両端部の下面側にはそれぞれ高さ調整手段としてのモルタル５３が敷かれ、このモルタル５３の厚さにより束梁５Ａの高さレベルを調整できるようになっている。
なお、束梁５Ａ以外の束梁５も略同様な構造で布基礎４に結合され、床束３１および大引３５を介して床パネル１２を支持するように構成されている。
【００１９】
このように構成された本実施形態においては、次のような手順で基礎３を施工する。
先ず、建物１の建築現場において根切り作業を行い、根切り底のうち、壁体１３に対応した部分に栗石（図示省略）を敷き詰め、その上から突き固めて壁体１３に沿った地盤６を形成する。次いで、この地盤６上にフーチング部２１および立上部２２を打設して布基礎４を形成する。このとき、フーチング部２１の束梁５と結合される部分には凹部２４を形成し、立上部２２には換気孔２３を形成する。
【００２０】
そして、地盤６のうち束梁５の端部が載置される部分、つまり、凹部２４内を含む凹部２４近傍の地盤６を囲むように型枠（図示省略）を配置し、布基礎４の間で対向するこれらの地盤６が互いに同一の高さレベルになるようにモルタル５３を注入する。
この後、予め成形しておいた束梁５を布基礎４の間に配置し、その各端部を凹部２４内に挿嵌させてモルタル５３上に載置する。これにより、束梁５はフーチング部２１に水平な状態で保持されるとともに所定位置に位置決めされる。
次いで、束梁５の溝部５２および凹部２４に囲まれた部分にモルタル（図示省略）を充填して束梁５をフーチング部２１に結合する。
【００２１】
また、ベースプレート３３およびブラケット３６と一体化した床束３１を大引３５に所定間隔で取り付けておき、この大引３５を束梁５に沿って配置する。このとき、束梁５に所定間隔で埋設しておいたアンカーボルト３４の上端にベースプレート３３を挿入し、このアンカーボルト３４の上端からにナット（図示省略）を締め付けて固定する。この後、ターンバックル３２を回転させて床束３１を伸縮させることにより、大引３５の高さレベルを調整して立上部２２の高さレベルに合わせる。
そして、この大引３５および立上部２２の上に床パネル１２を設置して一階床部１４を形成する。
【００２２】
このような本実施形態によれば、以下のような効果がある。
すなわち、床束３１は束梁５の上に複数立設されるので、複数の床束３１に対して一つの束梁５を設置するだけでよくなり、従来の束石を並設する手間、つまり複数の束石を同高さレベルで直線的に並設する手間を省略できるから、迅速かつ容易に施工できる。
さらに、束梁５の端部は布基礎４のフーチング部２１に結合されているため、束梁５を所望の状態でフーチング部２１に保持させることが可能となり、自立させる必要がなくなるから、束梁５を設置する場所については突き固め等の土工事を簡略化できるので、迅速かつ容易に施工できる。
【００２３】
また、フーチング部２１の束梁５との結合部分には、束梁５の端部と係合可能な係合部としての凹部２４が設けられているため、束梁５の端部を凹部２４に係合させるだけで、束梁５を位置決めできるから、束梁５を迅速かつ容易に設置できる。
さらに、束梁５をフーチング部２１に突き当てただけで接合した場合よりも優れた接合強度を確保できる。
【００２４】
そして、係合部を束梁５の端部に挿嵌可能な凹部２４としたので、束梁５の端部には、フーチング部２１に係合させるための特別な構造を設ける必要がなくなるから、結合構造を簡略化できるうえに、束梁５の構造を単純化できるので容易に製造できる。
【００２５】
さらに、束梁５の下面側には、高さ調整手段としてのモルタル５３が充填されているので、モルタル５３により束梁５の高さレベルを簡単に調節できるから、、束梁５を設置する場所が土工事により均一にされていなくても、束梁５を簡単かつ確実に水平設置できる。
【００２６】
そして、束梁５の上端面には長手方向と直交するへこみ部５１が設けられているため、へこみ部５１と大引３５との間の隙間３７を介して束梁５の両側の空間が連通されるから、布基礎４の間の通気を十分に確保できる。また、点検等のために布基礎４の間に作業員が侵入した場合も、この隙間３７を介して布基礎４の間を自由に通行できるから、迅速かつ容易に作業できる。
【００２７】
なお、本発明は前記実施形態に限定されるものではなく、本発明の目的を達成できる他の構成等を含み、以下に示すような変形なども本発明に含まれる。
すなわち、前記実施形態では、束梁５と地盤６との間にモルタル５３を介装して束梁５の高さレベルを調整したが、例えば、モルタル５３の代わりに高さ調整手段としての板材を介装し、この板材の厚さや枚数を調整することにより束梁５の高さレベルを調節するようにしてもよく、束梁５の高さレベルを調節できる手段であれば高さ調整手段の種類は限定されない。
【００２８】
前記実施形態では、凹部２４を布基礎４のフーチング部２１に設けたが、これに限定されず、例えば、図４および図５に示すように、布基礎４の立上部２２に係合部としての凹部２５を設け、フーチング部２１における凹部２５周辺の部分を欠損させて、この凹部２５に束梁５の端部を挿嵌するようにしてもよい。
【００２９】
また、係合部はこれらの凹部２４，２５に限定されず、例えば、係合部をフーチング部２１や立上部２２から水平方向に突出する凸部とし、この凸部に束梁５の溝部５２を嵌合させるようにしてもよい。或いは、束梁５の端部およびフーチング部２１にそれぞれ接続具を設け、これらの接続具を互いに接続させることにより束梁５を布基礎４に係止させてもよい。
【００３０】
前記実施形態の布基礎４は、現場打ちコンクリートにより構成されていたが、工場で予め成形したプレキャストコンクリート製のブロックを用いて構成してもよい。
前記実施形態では、大引３５の上に床パネル１２を配列して一階床部１４を形成したが、大引３５の上に根太を介して床板を配列し、これにより一階床部を構成してもよい。
【００３１】
前記実施形態の建物１はパネル工法により建てられた工業化住宅であったが、これに限定されず、例えば、在来工法により構築された住宅であってもよく、或いは、他の工法により建てられた工業化住宅であってもよい。要するに、床束および大引により一階床部を支持する構造を備えた建物であれば、建物の種類は限定されない。
【００３２】
【発明の効果】
以上に述べたように、本発明によれば、床束を束梁の上に複数立設したので、複数の床束に対して一つの束梁を設置するだけでよくなり、従来の束石を並設する手間、つまり複数の束石を同高さレベルで直線的に並設する手間を省略できるから、迅速かつ容易に施工できる。
さらに、束梁の端部は布基礎に結合されているため、束梁を所望の状態で布基礎に保持させることが可能となり、自立させる必要がなくなるから、束梁を設置する場所については突き固め等の土工事を簡略化できるので、迅速かつ容易に施工できる。
【図面の簡単な説明】
【図１】本発明の一実施形態を示す分解斜視図。
【図２】図１のII−II線断面図。
【図３】前記実施形態の束梁および布基礎の結合構造を一部破断して示す斜視図。
【図４】本発明の他の基礎構造を示す図。
【図５】本発明の他の基礎構造を示す断面図。
【符号の説明】
３  基礎
４  布基礎
５，５Ａ  束梁
２４，２５  凹部（係合部）
３１  床束
３５  大引
５１  へこみ部
５３  モルタル（高さ調整手段）
【図１】
0003776544.tif 000002
【図２】
0003776544.tif 000003
【図３】
0003776544.tif 000004
【図４】
0003776544.tif 000005
【図５】
0003776544.tif 000006